(57)【要約】【課題】軒樋の後壁部と軒樋支持具が取り付けられる鼻板との間のスペースに体裁よく収められ、軒先の下方を照明する軒樋用照明装置を提供する。【解決手段】断面略Ｌ字型の照明灯収容部１１とこの照明灯収容部１１を覆う透明カバー部１２とからなる照明器具本体１と上記照明灯収容部１１の上部に掛止部２が突出して取り付けられた照明装置であって、上記照明器具本体１は上方向に先細に形成されるとともに、上記照明灯収容部１１の底面１１２は照明灯５からの光が透過する透明部材で構成され、上記掛止部２はフック部２１を有し、上記フック部２１が軒樋７の後縁部７１に着脱自在に掛止するように形成された軒樋用照明装置Ａ。【選択図】図１
2008202367.tif 000002
【特許請求の範囲】
【請求項１】
断面略Ｌ字型の照明灯収容部とこの照明灯収容部を覆う透明カバー部とからなる照明器具本体と上記照明灯収容部の上部に掛止部が突出して取り付けられた照明装置であって、上記照明器具本体は上方向に先細に形成されるとともに、上記照明灯収容部の底面は照明灯からの光が透過する透明部材で構成され、上記掛止部はフック部を有し、上記フック部が軒樋の後縁部に着脱自在に掛止するように形成された軒樋用照明装置。
【請求項２】
上記掛止部は照明灯収容部の背板に高さ調整自在に固定される請求項１に記載の軒樋用照明装置。
【請求項３】
上記照明灯の側部には、人体検知センサにより作動するスポット照明灯が付設された請求項１に記載の軒樋用照明装置。
【請求項４】
上記断面略Ｌ字型の照明灯収容部の両側面がサイドカバーで封止された請求項１に記載の軒樋用照明装置。
【発明の詳細な説明】
【技術分野】
【０００１】
本発明は、軒樋用照明装置に関する。さらに詳しくは、鼻板に施工された軒樋に着脱自在に取り付けられ、軒先の下方を照らす軒樋用照明装置に関する。
【背景技術】
【０００２】
従来、防犯上あるいは装飾用等のため、軒樋の後壁部と軒樋吊り具等、軒樋支持具を取り付ける鼻板との間のスペースに照明器具を収容し、軒先の下方を照明するように構成された軒樋装置が提案されている。例えば、下記特許文献１には、軒樋の後壁部と軒先前面との間に形成される間隔スペース内に照明器具を収容し、同間隔スペースの下方開口部を閉塞する透光板を設け、この透光板を介して上記軒樋の底面と軒先天井面とが略面一状に連続された軒樋装置が提案されている。
【０００３】
そして、軒樋の後壁部と軒先前面との間に形成される間隔スペースが活用され、該間隔スペース内に照明器具が邪魔にならないように体裁よく収容され、しかも同間隔スペースの下方開口部が透光板によって閉塞され、前記照明器具も覆い隠されて、軒先下方が外観良好に収まり、また、照明器具によって軒先下方が明るく照らされるという効果があると記載されている。
【特許文献１】特開平８−３２６２４２号公報（第１〜３頁、第１図、第２図）
【発明の開示】
【発明が解決しようとする課題】
【０００４】
しかしながら、上記特許文献１に記載の技術は、その図２に示されているように、軒先前面の下端にビス固定された断面略コ字型で前方に開口した金属製の取付け具に固定され、下方に開口した扁平矩形状のボックスに照明器具は内蔵されている。そのため、照明器具を取り付けるための構成部材が多く、取付けに手間がかかるという問題がある。
【０００５】
本発明はこのような問題を解決して、構造が簡単で、かつ、軒樋の後壁部と軒樋支持具が取り付けられる鼻板との間のスペースに簡単に装着できるとともに、軒先に体裁よく収まり、軒先の下方を明るく照らす軒樋用照明装置を提供することを、その課題とする。
【課題を解決するための手段】
【０００６】
上記課題を解決するため、本発明においては、つぎのような技術的手段を講じている。すなわち、請求項１に記載の発明によれば、断面略Ｌ字型の照明灯収容部とこの照明灯収容部を覆う透明カバー部とからなる照明器具本体と上記照明灯収容部の上部に掛止部が突出して取り付けられた照明装置であって、上記照明器具本体は上方向に先細に形成されるとともに、上記照明灯収容部の底面は照明灯からの光が透過する透明部材で構成され、上記掛止部はフック部を有し、上記フック部が軒樋の後縁部に着脱自在に掛止するように形成された軒樋用照明装置が提供される。上記照明灯としては、蛍光灯、ＬＥＤ等、通常の照明手段が用いられる。
【０００７】
請求項２に記載の軒樋用照明装置は、請求項１に記載の発明に加えて、上記掛止部は、照明灯収容部の背板に高さ調整自在に固定される。高さ調整はこの背板に長孔を穿ち、長孔内で固定用ビスの挿通する位置を調整することにより行う。
【０００８】
請求項３に記載の軒樋用照明装置は、請求項１に記載の発明に加えて、上記照明灯の側部には、人体検知センサにより作動するスポット照明灯が付設される。スポット照明灯は、通常、上記照明灯の両側部にが付設され、光源としては、ＬＥＤが好ましく用いられる。
【０００９】
請求項４に記載の軒樋用照明装置は、請求項１に記載の発明に加えて、上記断面略Ｌ字型の照明灯収容部の両側面がサイドカバーで封止される。サイドカバーは、通常、照明器具本体と同様に上方向に先細に形成される。
【発明の効果】
【００１０】
請求項１に記載の発明にかかる軒樋用照明装置は上記のとおりであり、照明灯収容部とこれを覆う透明カバー部とからなる照明器具本体の照明灯収容部の上部に掛止部が突出して取り付けられ、上方向に先細に形成されるとともに、上記照明灯収容部の底面は照明灯からの光が透過する透明部材で構成されているため、軒先の下方を明るく照らすことができる。また、上記掛止部はフック部を有して、上記フック部が軒樋の後縁部に着脱自在に掛止できるため、既設の軒樋と鼻板との間のスペースに上記先細の上部を挿入して容易に後付けすることができる。
【００１１】
請求項２に記載の軒樋用照明装置は上記のとおりであり、請求項１の軒樋用照明装置の有する効果に加え、上記掛止部は、照明灯収容部の背板に高さ調整自在に固定されるため、軒樋の後壁部と鼻板との間のスペースに、軒樋の底面と照明灯収容部の底板とを面一に体裁よく装着できる。そして軒樋用照明装置からの光は軒先下方を照らすとともに、軒樋と軒先との隙間からも上方に光が漏れるように軒樋回りを間接照明することができる。その結果、軒樋回りの装飾効果をあげることができる。
【００１２】
請求項３に記載の軒樋用照明装置は上記のとおりであり、請求項１の軒樋用照明装置の有する効果に加え、上記照明灯の側部には、人体検知センサにより作動するスポット照明灯が付設されているため、夜間に人体検知センサが人を検知すると発光部が発光または断続的に発光し、防犯灯としての機能も発揮することができる。
【００１３】
請求項４に記載の軒樋用照明装置は上記のとおりであり、請求項１の軒樋用照明装置の有する効果に加え、上記断面略Ｌ字型の照明灯収容部の両側面はサイドカバーで封止されるため、ゴミや蚊等の侵入を防いで体裁よく軒樋の背板と鼻板との間に装着することができる。
【発明を実施するための最良の形態】
【００１４】
以下、本発明の実施形態について図面を参照して詳細に説明する。図１は本発明にかかる軒樋用照明装置Aを示す分解斜視図である。図１に示すように、照明器具本体１は、断面略Ｌ字型の照明灯収容部１１とこの照明灯収容部１１を覆う透明カバー部１２とからなり、上記照明灯収容部１１に透明カバー部１２を組み付けて側面をサイドカバー１３で封止して上方向に先細に形成されている。
【００１５】
また、上記照明灯収容部１１の背板１１１には掛止部２を固定するビス９が挿通する長孔３が穿たれるとともに、照明灯収容部１１の底板１１２には透孔１１３が設けられている。そして、底板１１２に透明板４を載置することにより、照明灯５からの光は透明板４を透過して透孔１１３から下方を照明する。
【００１６】
フック部２１を有する上記掛止部２は、固定用ビス９の挿通する位置を長孔３内で上下に移動することにより、照明灯収容部１１の背板１１１に高さ調整自在に固定される。さらに、上記照明灯５の両側部には人体検知センサにより作動するスポット照明灯６が付設され、その固定板６１を固定部６２にビス止めすることにより、スポット照明灯６は照明灯収容部１１の背板１１１に固定される。このスポット照明灯６は、夜間に人体検知センサが人を検知すると光源６３として用いたＬＥＤが発光または断続的に発光し、防犯機能を発揮する。
【００１７】
図２は、上記軒樋用照明装置Ａを示す外観斜視図である。図２に示すように、断面略Ｌ字型の照明灯収容部１１の背板１１１には掛止部２が高さ調整自在に取り付けられるとともに、透明部材からなる透明カバー部１２が照明灯収容部１１を覆って組み付けられている。さらに、サイドカバー１３で両側面を封止された照明器具本体１は、上方向に先細に形成され、その底板１１２に設けられた透孔１１３を透して照明灯５からの光が下方を照明する。一方、照明灯５の両側部に付設されたスポット照明灯６の光源６３からは、人体検知センサの作動によりＬＥＤが発光または断続的に発光する。
【００１８】
つぎに、上記軒樋用照明装置Ａを、軒樋の後壁部と軒樋支持具が取り付けられる鼻板との間のスペースに着脱自在に装着する方法について説明する。図３は図示しない軒樋支持具によって支持される軒樋７の後壁部７１に軒樋用照明装置Ａを装着する前に掛止部２の高さ調節を行う状態を示す説明図である。図３に示すように、掛止部２を背板１１１に固定する前に、前記したように、固定用ビス９の挿通する位置を背板１１１に穿たれた長孔３内で上下に移動し、後壁部７１の高さと掛止部２を含む背板１１１の高さとを略同等とする。
【００１９】
その後、上記後壁部７１と鼻板８との間のスペースに上記軒樋用照明装置Ａを挿入し、上記掛止部２のフック部２１を後壁部７１の上部に延設された後縁部７２に掛止する。図４は、本発明にかかる軒樋用照明装置Ａを軒樋７の後壁部７１と鼻板８との間のスペースに装着した状態を示す説明図である。図４に示されているように、軒樋７の底面７３と、照明灯収容部１１の底板１１２とは面一となり、上記軒樋用照明装置Ａを軒樋７の後壁部７１に着脱自在に体裁よく装着できる。そして、軒先下方を照らすとともに、軒樋と軒先との隙間からも上方に光が漏れるように軒樋回りを間接照明し、通常の常夜灯として用いることができる。さらに、スポット照明灯６を付設することにより、防犯灯としての機能も発揮することできる。
【図面の簡単な説明】
【００２０】
【図１】本発明にかかる軒樋用照明装置を示す分解斜視図である。
【図２】本発明にかかる軒樋用照明装置を示す外観斜視図である。
【図３】軒樋の後壁部に合わせて本発明にかかる軒樋用照明装置の掛止部の高さ調節を行う状態を示す説明図である。
【図４】本発明にかかる軒樋用照明装置を軒樋の後壁部と鼻板との間のスペースに装着した状態を示す説明図である。
【符号の説明】
【００２１】
Ａ          本発明にかかる軒樋用照明装置
１          照明器具本体
１１        照明灯収容部
１１１      背板
１１２      底板
１１３      透孔
１２        透明カバー部
１３        サイドカバー
２          掛止部
２１        フック部
３          長孔
４          透明板
５          照明灯
６          スポット照明灯
６１        固定板
６２        固定部
６３        光源
７          軒樋
７１        後壁部
７２        後縁部
７３        底面
８          鼻板
９          ビス
【図１】
2008202367.tif 000003
【図２】
2008202367.tif 000004
【図３】
2008202367.tif 000005
【図４】
2008202367.tif 000006